(57)【要約】【課題】  複数種類の肥料をホッパ内で短時間に効率よく混合可能で、筋状または条状散布が可能な肥料散布機を提供する。【解決手段】  Ｕ字状の樋に撹拌羽根を有した回転軸を内設して原料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて原料が連続循環するように肥料ホッパを構成し、片側一方の底面に、複数個の排出口を設けて落下させ散布するように構成した。また、撹拌羽根移送方向始端側を２条のリボン状螺旋に構成し、さらに、ホッパ底面に設けた複数の肥料散布排出口には、可撓性の案内筒が設けられたシャッタ部があり、案内筒の先端部はホッパの長手方向の希望する位置にそれぞれ単独に又は複数本の案内筒を抱持可能に構成した。【選択図】      図１
2005211062.tif 000002
【特許請求の範囲】
【請求項１】
Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に、隣接する樋に肥料が移動可能な掻き上げ材を設けて肥料が連続循環するように構成するとともに、一組に隣接したＵ字状の樋の片側一方の底面には、複数個の排出口を設け、その排出口より肥料を落下させて散布することを特徴とした肥料散布機。
【請求項２】
撹拌羽根の移送方向の始端部側には、リボン状螺旋に成形された補助撹拌羽根を撹拌羽根始端と始端の取付位相をずらして２条に設けた請求項１記載の肥料散布機。
【請求項３】
Ｕ字状の樋の底面に排出口を複数個設けた排出口には、肥料の落下量を調節するシャッタ板が密着されて設けてあり、シャッタ部の排出口ごとに設けられた落下口には可撓性の案内筒が設けられ、この案内筒の出口側でる他方端の先端部は、Ｕ字状の樋の長手方向に亘って設けられた横支持材の希望位置に、それぞれ単独に又は複数本の案内筒を抱持可能に構成した請求項１〜２のいずれか一つに記載の肥料散布機。
【発明の詳細な説明】
【技術分野】
【０００１】  本発明は、肥料散布機に関するもので、複数種類の肥料をホッパ内で混合し、筋状または条状に散布できる構成に関わるものである。
【背景技術】
【０００２】  背景技術として、同一出願人による「Ｕ字状の樋に撹拌羽根を有した回転軸を内設して原料を一方向へ撹拌しながら移送する撹拌部を構成し、この撹拌部の移送方向が互いに逆方向になるように一組を隣接して設け、これらの移送方向の末端に、隣接する樋に原料が移動可能な掻き上げ材を設けて原料が連続循環するように構成するとともに、移送方向の末端側底面に排出口を設け、排出口は樋長さに対して移送方向の末端側に２分の１の長さに亘って複数個設けた肥料散布機」が公知である。（特許文献１）
【特許文献１】  特開２００３−２３５３１８公報
【発明の開示】
【発明が解決しようとする課題】
【０００３】  公知の技術によれば、互いに隣接するＵ字状の樋に撹拌羽根を有した回転軸を内設して、肥料を一方向に撹拌しながら移送し、移送方向が逆方向の隣接するＵ字状の樋の移送方向の末端側底面にそれぞれ排出口を設けてあるため、排出口に設けられる肥料の落下量を調節するシャッタを、２つのＵ字状の樋に亘って設けなければならず、シャッタ構造が複雑となり製造コストが嵩む不都合を招くことになる。本発明の目的は、複数種類の肥料をホッパ内で短時間に効率よく混合できて、筋状又は条状に散布できる構造とし、シャッタ機構を簡素化しコストダウンを図ることにある。
【課題を解決するための手段】
【０００４】  上記課題を解決するために、Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に、隣接する樋に肥料が移動可能な掻き上げ材を設けて肥料が連続循環するように構成するとともに、一組に隣接したＵ字状の樋の片側一方の底面には、複数個の排出口を設け、その排出口より肥料を落下させて散布する肥料散布機を提供するものである。【０００５】  上記課題を解決するために、本発明のうちの請求項２に記載の発明では、上記肥料散布機において、肥料の連続循環する効率をさらに上げるため、撹拌羽根の移送方向の始端部側には、リボン状螺旋に成形された補助撹拌羽根を撹拌羽根始端と始端の取付位相をずらして２条に設けた肥料散布機を提供する。【０００６】  上記課題を解決するために、本発明のうちの請求項３に記載の発明では、上記肥料散布機において、肥料の筋状または条状散布をより効率よくまた多岐に亘る散布パターンができるように、Ｕ字状の樋の底面に排出口を複数個設けた排出口には、肥料の落下量を調節するシャッタ板が密着されて設けてあり、シャッタ部の排出口ごとに設けられた落下口には可撓性の案内筒が設けられ、この案内筒の出口側でる他方端の先端部は、Ｕ字状の樋の長手方向に亘って設けられた横支持材の希望位置に、それぞれ単独に又は複数本の案内筒を抱持可能に構成した肥料散布機を提供する。
【発明の効果】
【０００７】  上記のようにＵ字状の樋に一方向へ撹拌しながら移送する撹拌部を構成し、相互に移送方向を逆方向に組み合せてそれぞれの移送方向の末端に、隣接する樋に肥料が移動可能な掻き上げ材を設け連続循環して撹拌するので、高速撹拌を可能にし、又、散布にあたって撹拌部のＵ字状樋の底面から直接排出散布するので、混合肥料の圧縮作用やブリッジが少なく円滑な混合と散布作業ができるようになった。また、排出口を一組のＵ字状の樋の片側一方の底面のみに設けてあるため、シャッタ機構を簡素化でき、製造コストを低減できる。【０００８】  さらに肥料の連続循環を効率よくするために、撹拌羽根の移送方向の末端に設けた掻き上げ材によって隣接する樋に肥料が移動しやくするように、受け入れ側の撹拌羽根の移送方向の始端部側にリボン状螺旋に成形した撹拌羽根を、始端の取付位相をずらして２条に設けて、受け入れ側の始端側の搬送効率を上げてさらに肥料の滑らかな流れが形成されるようにした。【０００９】  また、排出口の肥料落下量を調節するシャッタ部に設けられた落下口には、可撓性の案内筒が設けられ、案内筒の先端部はＵ字状の樋の長手方向の希望位置に、それぞれ単独に又は複数本の案内筒を抱持可能に構成されているため、例えば作物の植付畝部に案内筒先端部を合せて取り付けると、植付畝部のみに散布することが可能で、必要な部分のみに肥料を筋状または条状に散布ができるため、肥料の無駄な散布が行われない。
【発明を実施するための最良の形態】
【００１０】  以下、本発明の実施形態を図面に基づいて説明する。図１は本発明を実施した側面図、図２は本発明を実施した平面図、図３は一部を省略した左側面図、図４はシャッタの開閉作動説明図、図５は案内筒の取付使用方法説明図である。【００１１】  図１と図２において１はパイプフレームを示し、このパイプフレーム１には４のトップブラケット、及び一対のロアピン５が取り付けられ、これにより図示していないがトラクタの三点リンクに装着することができる。又、自走式の台車に装着しても良い。【００１２】  １８はホッパで複数の肥料を投入するものである。ホッパ１８はＵ字状の樋１７に撹拌羽根１４を有した第１回転軸９を内設し、一方向へ回転移送するものであり、移送末端側に掻き上げ材１０を設けて、第１撹拌部を構成する。本実施例において、撹拌羽根はリボン状螺旋に形成されている。【００１３】  １２は撹拌羽根１４１を有した第２回転軸１３からなる第２撹拌部を示し、前記した第１撹拌部１１の移送方向とは逆に向けて移送回転させ、末端に掻き上げ材１０１を設けて構成する。これにより、矢印Ａ方向に肥料が連続して循環して撹拌する。【００１４】  撹拌羽根１４，１４１の移送方向の始端部側は、リボン状螺旋に成形された補助撹拌羽根１６，１６１を、撹拌羽根と始端の取付位相をずらして撹拌羽根を２条に設けて搬送開始時の搬送効率を上げるように構成してある。【００１５】  １５は排出口を示し、第１撹拌部１１の樋１７の底面に複数個配列されてあり、樋の底面の外側には、肥料の落下量を調整するシャッタが密着されて設けてある。【００１６】  ２はギヤケースで前方に入力軸３を有し、上下のパイプフレーム１に支持されている。ギヤケース２には、ベベルギヤ２ａが一対設けられ、入力軸３と直角方向に出力軸２ｂが延出され他方端には駆動スプロケット６が設けられている。駆動スプロケット６から中間スプロケット６ａを経由し減速され、第１スプロケット７及び第２スプロケット８を駆動し、第１回転軸９と第２回転軸１３を回転させ、図１に示すａ，ｂの矢印の回転方向に相互に隣接する内方に掬い上げるように回転する。６ｂはテンションスプロケットでローラーチェーン６ｃの張り調節を行う。【００１７】  ２３はシャッタ開閉レバーを示し、肥料の落下量を調節するシャッタ板を開閉するためのもので、レバーガイド２３ｂに表示された希望する散布量目盛２３ａに合せて、シャッタ開閉レバー２３を引くと、排出口１５，１５１のシャッタ板が希望量開く。【００１８】  図３と図４において、１４，１４１の撹拌羽根は互いに内方の矢印の方向へ回転し、１４，１４１の撹拌羽根はリボン状螺旋に形成され、肥料は互いに逆方向に移送されるように形成されている。【００１９】  また、移送方向の末端には、隣接する樋に肥料が掻き送られるように掻き上げ材１０，１０１を設けて、肥料が連続循環するように構成されている。【００２０】  ホッパ１８の底面のＵ字状の樋の片側に設けられた肥料の排出口１５にはシャッタ１９が設けられ、シャッタ開閉レバー２３を引くと、連結ロット２５と連結されたリンクアーム２７は支軸２６を支点に回動し、リンクアームとリンクピン１９ａで係合されたシャッタ１９を矢印方向にスラ��ドさせ、略五角形の排出口１５と落下口２８の重合した孔より肥料を落下させ散布する。【００２１】  シャッタ１９は、サポートプレート３０によりＵ字状の樋の底面に密着させてＵ字状の樋の長手方向に摺動自在に設けられて、落下口２８には可撓性の案内筒２２が設けられている。【００２２】  スタンド２０は、ホッパ１８に肥料を投入する時にホッパ底面部を地面の接触等から保護し、必要によりキャスター車輪２１を付けると、格納や移動時に便利である。【００２３】  図５は、案内筒２２の使用例を示したもので、可撓性の案内筒２２の先端部は、ホッパ１８の下部に掛け渡した横支持材２９の切欠溝に取り付けられた固定リング２９ａに、案内筒を挿入し希望位置で固定することが可能で、Ａ，Ｂ部のように複数本をまとめたり、Ｃ部のように単体で散布することも選択でき、Ｄ部のように延長横支持材２９ｂを利用して、ホッパ１８の幅よりも外側に散布することも可能であり、栽培畝の中心部や希望する畝筋条に合致するように案内筒２２の先端位置を固定して散布することができる。
【図面の簡単な説明】
【００２４】
【図１】  本発明を実施した側面図
【図２】  本発明を実施した平面図
【図３】  一部を省略した左側面図
【図４】  シャッタの開閉作動説明図
【図５】  案内筒の取付使用方法説明図
【符号の説明】
【００２５】１      パイプフレーム
２      ギヤケース
２ａ    ベベルギヤ
２ｂ    出力軸
３      入力軸
４      トップブラケット
５      ロアピン
６      駆動スプロケット
６ａ    中間スプロケット
６ｂ    テンションスプロケット
６ｃ    ローラーチェーン
７      第１スプロケット
８      第２スプロケット
９      第１回転軸
１０，１０１    掻き上げ材
１１    第１撹拌部
１２    第２撹拌部
１３    第２回転軸
１４，１４１    撹拌羽根
１５    排出口
１６，１６１    補助撹拌羽根
１７，１７１    樋
１８    ホッパ
１９    シャッタ
１９ａ  リンクピン
２０    スタンド
２１    キャスター車輪
２２    案内筒
２３    シャッタ開閉レバー
２３ａ  散布量目盛
２３ｂ  レバーガイド
２５    連結ロット
２６    支軸
２７    リンクアーム
２８    落下口
２９    横支持材
２９ａ  固定リング
２９ｂ  延長横支持材
３０    サポートプレート
【図１】
2005211062.tif 000003
【図２】
2005211062.tif 000004
【図３】
2005211062.tif 000005
【図４】
2005211062.tif 000006
【図５】
2005211062.tif 000007